(57)【特許請求の範囲】
【請求項１】
高圧ケーブルとの接続部を形成する高圧出力ピンを有する高圧トランスを搭載した点火器基盤をケースに収納しフタを装着して、前記接続部の出力出口穴を形成し、高圧ケーブルを着脱自在に接続可能な構成としたイグナイターであって、前記ケースには前記高圧トランスの高圧出力ピンを、その上方から覆い、前記高圧出力ピンの先端方向に伸びて設けられた防水壁と、前記防水壁の先端から下方に伸び、前記出力ピンの位置よりもその端面が低い所に位置する下向き壁を設け、設置状態において前記高圧ケーブルの途中にトラップ部が形成されるようにしたイグナイター。
【請求項２】
高圧ケーブルとの接続部を形成する高圧出力ピンを有する高圧トランスを搭載した点火器基盤をケースに収納しフタを装着して、前記接続部の出力出口穴を形成し、高圧ケーブルを着脱自在に接続可能な構成としたイグナイターであって、前記ケースには前記高圧トランスの高圧出力ピンを、その上方から覆い、前記高圧出力ピンの先端方向に伸びて設けられた防水壁と、前記防水壁先端から、上方向に伸び、前記防水壁上面よりも、その端面が高い所に位置する上向き壁を設けて成るイグナイター。
【発明の詳細な説明】
【０００１】
【産業上の利用分野】
本発明はガス調理器等に用いられるイグナイターに関するものである。
【０００２】
【従来の技術】
従来のイグナイターを図４に示す。イグナイターは、通常ガス調理器等の本体後面１１に固定されている。またイグナイター内部の高圧トランスで発生した電圧は、イグナイターの前面に設けられた高圧出力ピン１０より高圧ケーブル１１を経由して、ガスバーナー等の点火部に伝えられ、スパークを発生してガスバーナーに点火する構成となっている。
【０００３】
【発明が解決しようとする課題】
しかしながら上記のような構成では、機器本体上部にあるコンロ部の煮汁等が、直接イグナイター上に滴下し、表面を伝い、高圧ケーブル接続部に侵入する。或は点火部より侵入した煮汁が、高圧ケーブルの表面を伝わり、高圧ケーブル接続部に侵入して電圧のリーク、誤放電等を起こすといった課題を有していた。
【０００４】
また、煮汁の侵入を防ぐ為に、イグナイターに煮こぼれカバーを装着したり、接続部に煮汁防止のゴムキャップ等を装着すると、非常にコストを要し組立性も悪くなるといった課題があった。
【０００５】
本発明はかかる従来の課題を解決するもので、誤放電が発生せず、信頼性の高いイグナイターをコストや組立性を悪化させることなく提供することを目的とする。
【０００６】
【課題を解決するための手段】
上記課題を解決するために本発明のイグナイターの第１の手段は、高圧ケーブルとの接続部を形成する高圧出力ピンを有する高圧トランスを搭載した点火器基盤をケースに収納しフタを装着して、前記接続部の出力出口穴を形成し、高圧ケーブルを着脱自在に接続可能な構成としたイグナイターであって、前記ケースには前記高圧トランスの高圧出力ピンを、その上方から覆い、前記高圧出力ピンの先端方向に伸びて設けられた防水壁と、前記防水壁の先端から下方に伸び、前記出力ピンの位置よりもその端面が低い所に位置する下向き壁を設け、設置状態において前記高圧ケーブルの途中にトラップ部が形成されるようにしたものである。
【０００７】
また第２の手段は、高圧ケーブルとの接続部を形成する高圧出力ピンを有する高圧トランスを搭載した点火器基盤をケースに収納しフタを装着して、前記接続部の出力出口穴を形成し、高圧ケーブルを着脱自在に接続可能な構成としたイグナイターであって、前記ケースには前記高圧トランスの高圧出力ピンを、その上方から覆い、前記高圧出力ピンの先端方向に伸びて設けられた防水壁と、前記防水壁先端から、上方向に伸び、前記防水壁上面よりも、その端面が高い所に位置する上向き壁を備えた構成としてある。
【０００８】
【作用】
上記した第１の手段によれば防水壁の先端の下向きの壁により高圧ケーブルが高圧ケーブル接続部より低い位置に押さえ込まれる事になり、高圧ケーブルを伝わってくる煮汁を、この部分で滴下させ、高圧ケーブル接続部に侵入するのを防止できる。
【０００９】
また第２の手段によれば、防水壁の先端の上向きの壁により、イグナイター上部より滴下した煮汁の流れが止められ、高圧ケーブルの引き回し部には侵入するのを防止できる。
【００１０】
【実施例】
以下本発明の実施例を図面に基づいて説明する。図１に本発明のイグナイターの部品構成を裏面から分解した形での斜視図にて示す。高圧コイル４を有する点火器基板３は、樹脂成形されたケースＡ１ａに納められ、樹脂成形されたケースＢ２ａによりフタされる構成である。
【００１１】
高圧コイル４前面に設けられた３本の高圧出力ピン５は、高圧ケーブル６ａと接続され、前記ケースＡ１ａに成形された３箇所の凹形状部１ｂと、前記ケースＢ２ａに成形された３箇所の凹部２ｂが嵌合して成る出力出口穴を通して、外部に引き回される。
【００１２】
イグナイターの後部には電源となる電池７を収納する空間１ｃが設けられており、点火器基板３から引き回された端子８と、本体へのアース端子９を装着している。
【００１３】
図２は本発明のイグナイターを裏面から見た斜視図であり、高圧ケーブル接続部６ｃ上方には、防水壁１ｄが設けられており、その先端部には、端面Ａ１ｅが前記出力ピン５より下に位置する、下方向の壁１ｆが成形されている。この形状により、前記高圧ケーブル６ａは、端面Ａ１ｅで下方向に押さえ込まれ、Ｕ型のトラップ形状６ｂとなる。
【００１４】
したがって、図３に示す様に、高圧ケーブル６ａを伝わってくる煮汁１０ａは、トラップ部６ｂで滴下し、高圧ケーブル接続部６ｃには侵入しない。
【００１５】
また端面Ａ１ｅは、その左右に設けられた側壁の端面１ｉより高い位置に設定してあるため、高圧ケーブルのガイドとなり、高圧ケーブルの引き回し位置も安定する。
【００１６】
また前記防水壁１ｄの先端部には端面Ｂ１ｈが防水壁１ｄ上面より上に位置する上向きの壁１ｇも成形されており、点火器上方より滴下した煮汁１０ｂが、イグナイターの表面を伝い前方に流れた場合でも、上方向の壁１ｇにより煮汁はイグナイター本体の左右側面部に流れ高圧ケーブル接続部６ｃには到達しない。
【００１７】
【発明の効果】
以上の説明から明らかなように本発明の請求項１によるイグナイターでは、高圧ケーブルを伝わる煮汁から高圧接続部を保護でき、誤放電が発生しない。また本発明の請求項２では、イグナイター上部から滴下した煮汁から高圧ケーブルを保護でき、誤放電が発生しない。そして請求項１、２いずれのイグナイターも保護キャップ、カバー等が不要で、組立性、コスト的にも優れたものとなる。
【図面の簡単な説明】
【図１】本発明の一実施例における、イグナイターの部品構成を示す裏面から見た外観斜視図
【図２】同イグナイターの裏面から見た外観斜視図
【図３】同イグナイターの外観斜視図
【図４】従来の実施例におけるイグナイターの外観斜視図
【符号の説明】
１ａ  ケースＡ
１ｄ  防水壁
１ｅ  端面Ａ
１ｆ  下向きの壁
１ｇ  上向きの壁
１ｈ  端面Ｂ
２ａ  ケースＢ
３  点火器Ｐ板
４  高圧トランス
５  高圧出力ピン
６ａ  高圧ケーブル
６ｂ  高圧ケーブル接続部
【図１】
0003758209.tif 000002
【図２】
0003758209.tif 000003
【図３】
0003758209.tif 000004
【図４】
0003758209.tif 000005